(57)【要約】【課題】内部に設けられた音声情報出力手段が破損してしまう可能性を低減しながらも、音声情報出力手段から出力された音声情報を聞きやすくする。【解決手段】  ２枚の表面シート１０ａ，１０ｂを表裏にそれぞれ有する扇板部２ｂにおいて、音声情報を出力可能なシート状の音声情報出力部が可撓性を有する２枚の支持シートに挟み込まれてなる音声出力ユニット６を、２枚の表面シート１０ａ，１０ｂに挟み込んで構成する。【選択図】図１
2008022919.tif 000002
【特許請求の範囲】
【請求項１】
シート基材を表裏にそれぞれ具備する扇板部を有してなる団扇において、
音声情報を出力可能なシート状の音声情報出力手段が、可撓性を有する２枚の支持シートに挟み込まれ、該２枚の支持シートが前記シート基材に挟み込まれたことを特徴とする団扇。
【発明の詳細な説明】
【技術分野】
【０００１】
本発明は、音声情報を出力可能に構成された団扇に関する。
【背景技術】
【０００２】
従来より、夏季等の暑い時期に暑さを避けて涼しさを味わう手段として団扇が用いられている。団扇は、柄等の取手部を持ち、この取手部に繋がる扇部を扇ぐことにより風が生じ、涼しさを味わうことができるように構成されている。このように、団扇は誰でもどこでも手軽に利用することができるものであるため、扇風機や冷房機等の納涼のための電化製品が用いられるようになった現在でも多くの人に利用されている。そのため、ただ単に納涼手段として用いられるだけでなく、扇部に広告情報等を印刷し、街頭や催し会場等で配布することも行われている。
【０００３】
また、近年においては、音声情報を出力可能に構成された団扇が考えられている。
【０００４】
図８は、音声情報を出力可能に構成された従来の団扇の一構成例を示す図である。
【０００５】
本従来例は図８に示すように、柄部１０１と、柄部１０１の一端に設けられた扇部１０２とから構成され、柄部１０１から扇部１０２を支える部分となる基部１０２ａ内に、音声情報を出力可能な音声発生装置１１０が組み込まれている。また、扇部１０２は、音声発生装置１１０が組み込まれた基部１０２ａと、この基部１０２ａによって柄部１０１に支えられ、２枚の貼紙が互いに貼着されてなる扇板部１０２ｂとから構成されている。このように構成された団扇は、基部１０２ａに設けられたスイッチ等を操作することにより、音声発生装置１１０から音声情報を出力することができる。また、音声発生装置１１０をプラスチックからなる基部１０２ａ内に設けることにより、団扇を扇いだ際に生じる撓みによって音声発生装置１１０を構成する部材が破壊されてしまうことを回避している（例えば、特許文献１参照。）。
【０００６】
また、上述したような扇部の一部に取手部を設け、この取手部内に、上記同様の音声発生手段を組み込むことにより音声情報を出力可能に構成された団扇も考えられている（例えば、特許文献２参照。）。この団扇においても、音声発生手段を取手部内に組み込むとともにその取手部の剛性を考慮することにより、団扇を扇いだ際に生じる撓みによって音声発生手段を構成する部材が破壊されてしまうことを回避している。
【特許文献１】登録実用新案第３０８８３６２号公報
【特許文献２】登録実用新案第３０１６７８４号公報
【発明の開示】
【発明が解決しようとする課題】
【０００７】
上述したように扇部の基部や取手部内に、音声情報を出力可能な音声情報出力手段を組み込んだ場合、音声情報出力手段から出力された音声が扇部の基部や取手部に設けられた孔を介してのみ外部に出力されることになる。特に、上述したように、団扇を扇いだ際に生じる撓みによって音声情報出力手段を構成する部材が破壊されてしまうことを回避するためには、音声が出力される孔以外の部分がビスや粘着剤によって固着されており、そのため、音声情報出力手段から出力された音声情報を聞きやすいとは言いがたく、出力された音声情報を聞きやすくするためには、ある程度の音量が必要となり、音声情報出力手段内の電池の消耗を早めてしまう等の問題が生じる。また、取手部内に音声情報出力手段を組み込んだ場合、この取手部を握って団扇を持った状態では音声情報出力手段から出力された音声が手の中に籠ってしまい、音声情報出力手段から出力された音声情報が聞きにくくなってしまう。
【０００８】
そこで、音声情報が出力されるスピーカのみを図８に示した扇板部１０２ｂ内に設けることが考えられる。音声情報が出力されるスピーカを、２枚の貼紙が互いに貼着されてなる扇板部１０２ｂに設けた場合、スピーカから出力された音声が、扇板部１０２ｂを構成する２枚の貼紙が振動することによって響き、音声情報出力手段となる音声発生装置１１０から出力された音声情報を聞きやすくすることができる。
【０００９】
ところが、音声情報が出力されるスピーカのみを扇板部１０２ｂ内に設ける場合、基部１０２ａ内に設けられた音声発生装置１１０とスピーカとを配線にて接続することになるため、特にその距離が長くなった場合、音声発生装置１１０とスピーカとを接続する配線が、団扇を扇いだ際に生じる撓みによって断線してしまう虞れがある。
【００１０】
本発明は、上述したような従来の技術が有する問題点に鑑みてなされたものであって、内部に設けられた音声情報出力手段が配線の断線等で破損してしまう可能性を低減しながらも、音声情報出力手段から出力された音声情報を聞きやすくすることができる団扇を提供することを目的とする。
【課題を解決するための手段】
【００１１】
上記目的を達成するために本発明は、
シート基材を表裏にそれぞれ具備する扇板部を有してなる団扇において、
音声情報を出力可能なシート状の音声情報出力手段が、可撓性を有する２枚の支持シートに挟み込まれ、該２枚の支持シートが前記シート基材に挟み込まれたことを特徴とする。
【００１２】
上記のように構成された本発明においては、音声情報出力手段から音声が出力されると、扇板部の表裏にそれぞれ設けられたシート基材が振動し、この振動によって音声情報出力手段から出力された音声が響く。また、音声を出力する音声情報出力手段が、可撓性を有する２枚の支持シートに挟み込まれているため、団扇を扇いだ際に扇板部に撓みが生じても、その撓みによって音声情報出力手段が破損してしまう可能性が著しく低減する。
【発明の効果】
【００１３】
以上説明したように本発明においては、音声情報を出力可能なシート状の音声情報出力手段が、可撓性を有する２枚の支持シートに挟み込まれ、この２枚の支持シートが、扇板部の表裏にそれぞれ設けられたシート基材に挟み込まれた構成としたため、音声情報出力手段が破損してしまう可能性を著しく低減しながらも、音声情報出力手段から出力された音声情報を聞きやすくすることができる。
【発明を実施するための最良の形態】
【００１４】
以下に、本発明の実施の形態について図面を参照して説明する。
【００１５】
図１は、本発明の団扇の実施の一形態を示す図であり、（ａ）は外観図、（ｂ）は内部構造を示す図、（ｃ）は（ａ）に示したＡ−Ａ’断面図である。
【００１６】
本形態は図１に示すように、柄部１と、柄部１の一端に柄部１と一体となって設けられた扇部２とから構成されており、音声情報を出力可能な音声出力ユニット６が、扇部２の図中右側端部に、その長手方向が柄部１が延びる方向とは垂直な方向となるように組み込まれている。
【００１７】
扇部２は、柄部１と一体となった縁部材３ａと、柄部１及び縁部材３ａと一体となって構成され、縁部材３ａによって囲まれる領域にて柄部１から放射状に延びた複数の放射骨部３ｂと、柄部１及び縁部材３ａと一体となって構成され、縁部材３ａによって囲まれる領域の柄部１の近傍に放射骨部３ｂを横切るように設けられた横骨部３ｃとから構成され、横骨部３ｃを介して柄部１側が、扇部２を柄部１によって支えるための基部２ａとなり、その反対側が、音声出力ユニット６が組み込まれた扇板部２ｂとなっている。扇板部２ｂの音声出力ユニット６が組み込まれる領域は、放射骨部３ｂが切断されている。この切断の長さは、音声出力ユニット６が組み込まれた場合に音声出力ユニット６に放射骨部３ｂが接しない長さよりも若干長くなっており、それにより、放射骨部３ｂと音声出力ユニット６との間に隙間４が形成されている。
【００１８】
また、扇部２においては、その全面にて２枚の表面シート１０ａ，１０ｂが縁部材３ａ、放射骨部３ｂ及び横骨部３ｃを挟み込んで重ね合わされており、表面シート１０ａ，１０ｂと縁部材３ａ、放射骨部３ｂ及び横骨部３ｃとは粘着剤によって互いに貼着され、また、表面シート１０ａ，１０ｂと音声出力ユニット６とは、音声出力ユニット６の表面に施された粘着加工によって互いに貼着されている。これにより、音声出力ユニット６は扇板部２ｂ内に組み込まれ、また、複数の放射骨部３ｂの間となる領域においては、２枚の表面シート１０ａ，１０ｂに挟まれた空間５が形成されている。また、２枚の表面シート１０ａ，１０ｂのうち一方の表面シート１０ａには、音声出力ユニット６から音声を出力する際に押下する音声ボタン１１が印刷やラベル貼付等によって設けられている。
【００１９】
以下に、音声出力ユニット６について詳細に説明する。
【００２０】
図２は、図１に示した音声出力ユニット６の構成を示す図であり、（ａ）は内部構造を示す図、（ｂ）は（ａ）に示したＡ−Ａ’断面図である。
【００２１】
図１に示した音声出力ユニット６は図２に示すように、ピエゾ素子、振動板及びフィルムシートからシート状に構成されて音声情報を出力するためのスピーカ部３５と、外部から入力された音声情報が記録されるメモリ領域を具備する薄型のＩＣチップ３４やコンデンサ、抵抗等の回路素子が搭載された音声基板３２と、ＩＣチップ３４に記録された音声情報をスピーカ部３５を介して出力する場合に表面シート１０ａの音声ボタン１１を介して押下されるスイッチ３３と、音声基板３２に接続され、音声基板３２に電源を供給するための柔軟性を有してなるペーパー電池３１とからなる音声情報出力手段である音声情報出力部３０が、紙基材等の可撓性を有し、かつ薄型の基材からなる２枚の支持シート２０ａ，２０ｂに挟み込まれて構成されている。音声基板３２は、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されており、音声情報出力部３０はシート状となっている。また、ＩＣチップ３４は、スイッチ３３が押下された場合に、メモリ領域に記録された音声情報をスピーカ部３５を介して出力する制御を行う。そのため、図１に示した表面シート１０ａの音声ボタン１１は、音声出力ユニット６が扇板部２ｂに組み込まれた場合にスイッチ３３と対向する領域に設けられている。
【００２２】
図３は、図１及び図２に示した音声出力ユニット６の積層状態を示す図である。
【００２３】
図３に示すように、支持シート２０ａにおいては、音声情報出力部３０と積層された場合に、スイッチ３３、ＩＣチップ３４及びスピーカ部３５と対向する領域に穴２２，２３，２４ａがそれぞれ形成されている。
【００２４】
また、支持シート２０ｂにおいては、音声情報出力部３０と積層された場合に、ペーパー電池３１及びスピーカ部３５と対向する領域に穴２１，２４ｂがそれぞれ形成されている。
【００２５】
このように、支持シート２０ａの、スイッチ３３、ＩＣチップ３４及びスピーカ部３５と対向する領域に穴２２，２３，２４ａがそれぞれ形成され、また、支持シート２０ｂの、ペーパー電池３１及びスピーカ部３５と対向する領域に穴２１，２４ｂがそれぞれ形成されることにより、ペーパー電池３１、スイッチ３３、ＩＣチップ３４及びスピーカ部３５が設けられている領域と他の領域とで厚さの差が小さくなり、それにより、この音声出力ユニット６を２枚の表面シート１０ａ，１０ｂで挟み込んで扇板部２ｂに設けた場合、扇板部２ｂ表面の平坦性を向上させることができる。
【００２６】
図４は、図２及び図３に示した支持シート２０ａ，２０ｂと音声情報出力部３０とを積層した状態を示す図であり、（ａ）は支持シート２０ａと音声情報出力部３０とを積層した状態を示す図、（ｂ）は支持シート２０ｂと音声情報出力部３０とを積層した状態を示す図である。
【００２７】
図４（ａ）に示すように、支持シート２０ａのスイッチ３３と対向する領域に形成された穴２２はスイッチ３３よりも大きく、また、ＩＣチップ３４と対向する領域に形成された穴２３はＩＣチップ３４よりも大きく、また、スピーカ部３５と対向する領域に形成された穴２４ａはスピーカ部３５よりも大きくなっている。
【００２８】
また、図４（ｂ）に示すように、支持シート２０ｂのペーパー電池３１と対向する領域に形成された穴２１はペーパー電池３１よりも小さく、また、スピーカ部３５と対向する領域に形成された穴２４ｂはスピーカ部３５よりも小さくなっている。
【００２９】
これにより、音声情報出力部３０は、２枚の支持シート２０ａ，２０ｂによって一部のみが表裏から挟み込まれるように積層され、支持シート２０ａ，２０ｂの表裏に塗布された粘着剤によって固定されている。
【００３０】
以下に、上記のように構成された団扇の作用について説明する。
【００３１】
図５は、図１〜図４に示した団扇の作用を説明するための図であり、（ａ）は音声出力ユニット６から音声が出力された場合の作用を説明するための図、（ｂ）は複数の放射骨部３ｂの間となる領域の放射骨部３ｂが延びる方向の断面図である。
【００３２】
表面シート１０ａに設けられた音声ボタン１１が押下されると、音声出力ユニット６のスイッチ３３が押下され、それにより、ＩＣチップ３４に記録された音声情報がスピーカ部３５から出力される。なおこの際、音声出力ユニット６が扇板部２ｂの図中右側端部に組み込まれているため、扇板部２ｂを表裏から２本の指で挟むようにして音声ボタン１１を押下することができる。すなわち、音声出力ユニット６は、扇板部２ｂを表裏から２本の指で挟むようにして音声ボタン１１を押下するためには、扇板部２ｂの縁部材３ａに沿った端部に組み込んでおくことが好ましい。ところが、扇板部２ｂの柄部１と対向する端部に音声出力ユニット６を組み込んだ場合、扇部２を扇いだ際、音声出力ユニット６の重量に伴う遠心力の増加によって放射骨部３ｂ等の部材が折れてしまう虞れがあるため、扇板部２ｂの柄部１が延びる方向に対して左右の端部に設けることが好ましい。
【００３３】
スピーカ部３５は、上述したようにピエゾ素子、振動板及びフィルムシートから構成されており、これらが振動することにより音声が発生することになる。スピーカ部３５の振動は表面シート１０ａ，１０ｂに伝わり、図５（ａ）に示すように表面シート１０ａ，１０ｂ全体に広がっていく。ここで、音圧すなわち音の大きさは、出力される音の周波数が同じであれば、振動板の面積と振幅との乗算値によって決まり、振動板の面積が広ければ大きくなる。そのため、スピーカ部３５の振動が表面シート１０ａ，１０ｂに伝わると、面積が広い表面シート１０ａ，１０ｂが振動板の役割を果たし、スピーカ部３５から出力された音声がより響いて聞きやすくなる。このように、団扇を構成する扇部２の全体を振動板として用いることにより、音声出力ユニット６から出力された音声を聞きやすくすることができる。なお、表面シート１０ａ，１０ｂの振幅はスピーカ部３５の振幅に比べて小さいものの、その面積がスピーカ部３５と比べて格段に広いことから、上記効果を得ることができる。
【００３４】
また、本形態においては、図５（ｂ）に示すように、複数の放射骨部３ｂの間となる領域に２枚の表面シート１０ａ，１０ｂに挟まれた空間５が形成されている。そのため、スピーカ部３５の振動によってこの空間５内の空気が振動し、その空気の振動によっても表面シート１０ａ，１０ｂが振動することになり、音声出力ユニット６から出力された音声をさらに聞きやすくすることができる。
【００３５】
このように音声が出力される団扇は、一般的な団扇と同様に柄部１を持ち、扇部２を扇ぐことにより風が発生する。その際、扇部２は扇ぐことにより撓みが生じることになるが、本形態においては、音声情報を出力する音声情報出力部３０が、可撓性を有する２枚の支持シート２０ａ，２０ｂに挟み込まれているため、音声情報出力部３０がその配線が断線したりして破損してしまう可能性が著しく低減する。
【００３６】
次に、音声出力ユニット６が扇板部２ｂに組み込まれる向きについて説明する。
【００３７】
図６は、図１に示した団扇が扇がれることにより扇部２が撓んだ際の音声出力ユニット６の状態を示す図であり、（ａ）は音声出力ユニット６がその長手方向が柄部１が延びる方向となるように組み込まれた場合における音声出力ユニット６の状態を示す図、（ｂ）は音声出力ユニット６がその長手方向が柄部１が延びる方向とは垂直な方向となるように組み込まれた場合における音声出力ユニット６の状態を示す図である。
【００３８】
音声出力ユニット６がその長手方向が柄部１が延びる方向となるように組み込まれた場合は、図６（ａ）に示すように、団扇が扇がれることにより扇部２が撓むと、音声出力ユニット６の両端部間の撓み量はｔ1となる。
【００３９】
一方、音声出力ユニット６がその長手方向が柄部１が延びる方向とは垂直な方向となるように組み込まれた場合は、図６（ｂ）に示すように、団扇が扇がれることにより扇部２が図６（ａ）に示したものと同じ角度で撓んでも、音声出力ユニット６の両端部間の撓み量はｔ1よりも小さなｔ2としかならない。
【００４０】
そのため、図１に示した団扇のように、音声出力ユニット６をその長手方向が柄部１が延びる方向とは垂直な方向となるように扇部２に組み込むことにより、団扇が扇がれることによる撓みが生じた場合に、音声出力ユニット６内の音声情報出力部３０がその配線が断線したりして破損してしまう可能性をさらに低減することができる。
【００４１】
次に、放射骨部３ｂと音声出力ユニット６との間に形成された隙間４による作用について説明する。
【００４２】
図７は、図１に示した団扇の放射骨部３ｂが設けられた領域の放射骨部３ｂが延びる方向の断面図であり、（ａ）は扇部２が撓んでいない状態を示す図、（ｂ）は扇部２が撓んだ状態を示す図である。
【００４３】
上述したように、扇板部２ｂの音声出力ユニット６が組み込まれる領域において、放射骨部３ｂが、音声出力ユニット６が組み込まれた場合に音声出力ユニット６に放射骨部３ｂが接しない長さよりも若干長く切断されているため、図７（ａ）に示すように、放射骨部３ｂと音声出力ユニット６との間に隙間４が形成されている。
【００４４】
そのため、団扇を扇ぐことにより扇部２が撓んだ場合、図７（ｂ）に示すように、表面シート１０ａ，１０ｂの音声出力ユニット６が貼着された部分と放射骨部３ｂが貼着された部分との間の伸びがこの隙間４が形成された領域にて一部吸収され、それにより、表面シート１０ａ，１０ｂが、音声出力ユニット６が貼着された部分と放射骨部３ｂが貼着された部分との境界部分で破断してしまうことを回避することができる。
【００４５】
なお、上述したように、音声出力ユニット６は、扇部２の縁部材３に沿う端部に設けること、さらには扇部２の柄部１が延びる方向に対して左右の端部に設けることが好ましいが、団扇を机上あるいは手の上に置いて音声ボタン１１を押下することも考慮すると、音声出力ユニット６は、扇板部２ｂの任意の箇所に設けることもできる。また、音声出力ユニット６が扇部２に組み込まれる向きについても、上述したように、音声出力ユニット６の長手方向が柄部１が延びる方向とは垂直な方向となる向きとすることが好ましいが、特にそれに限定されるものではない。
【００４６】
また、本形態においては、扇部２全体に表面シート１０ａ，１０ｂが貼着されているが、扇部２のうち、扇板部２ｂのみに表面シート１０ａ，１０ｂが貼着された構成とすることも考えられる。
【００４７】
また、本形態においては、放射骨部３ｂを切断することにより、音声出力ユニット６が組み込まれる空間が形成されているが、音声出力ユニット６を囲むように、放射骨部３ｂと一体となった矩形状の骨部を設けることも考えられる。また、上述したように、放射骨部３ｂと音声出力ユニット６とは接していないことが好ましいが、放射骨部３ｂと音声出力ユニット６とが接している構成とすることも考えられる。さらには、放射骨部３ｂを切断せずに支持シート２０ａ，２０ｂの一方に、放射骨部３ｂが入り込むような溝を形成し、それにより、音声出力ユニット６を扇部２に組み込む構成としてもよい。
【００４８】
また、表面シート１０ａ，１０ｂのスピーカ部３５に対向する領域に微細な複数の穴を形成し、スピーカ部３５から出力された音声をこの穴を介しても外部に出力するような構成としてもよい。
【００４９】
また、本形態においては、柄部１と、柄部１の一端に柄部１と一体となって設けられた扇部２とから構成されているものを例に挙げて説明したが、柄部１を有さずに、基部２ａに取手部を設けたものについても、本発明を適用できることは言うまでもない。
【００５０】
また、本形態のように縁部材３ａ、放射骨部３ｂ及び横骨部３ｃを用いるのではなく、１枚の樹脂シートを用いてこの樹脂シートの両面に表面シート１０ａ，１０ｂを貼着して扇部２を形成したものについても本発明を適用することができる。その場合、この樹脂シートに音声出力ユニット６が入り込む穴を形成することになる。
【図面の簡単な説明】
【００５１】
【図１】本発明の団扇の実施の一形態を示す図であり、（ａ）は外観図、（ｂ）は内部構造を示す図、（ｃ）は（ａ）に示したＡ−Ａ’断面図である。
【図２】図１に示した音声出力ユニットの構成を示す図であり、（ａ）は内部構造を示す図、（ｂ）は（ａ）に示したＡ−Ａ’断面図である。
【図３】図１及び図２に示した音声出力ユニットの積層状態を示す図である。
【図４】図２及び図３に示した支持シートと音声情報出力部とを積層した状態を示す図である。
【図５】図１〜図４に示した団扇の作用を説明するための図であり、（ａ）は音声出力ユニットから音声が出力された場合の作用を説明するための図、（ｂ）は複数の放射骨部の間となる領域の放射骨部が延びる方向の断面図である。
【図６】図１に示した団扇が扇がれることにより扇部が撓んだ際の音声出力ユニットの状態を示す図であり、（ａ）は音声出力ユニットがその長手方向が柄部が延びる方向となるように組み込まれた場合における音声出力ユニットの状態を示す図、（ｂ）は音声出力ユニットがその長手方向が柄部が延びる方向とは垂直な方向となるように組み込まれた場合における音声出力ユニットの状態を示す図である。
【図７】図１に示した団扇の放射骨部が設けられた領域の放射骨部が延びる方向の断面図であり、（ａ）は扇部が撓んでいない状態を示す図、（ｂ）は扇部が撓んだ状態を示す図である。
【図８】音声情報を出力可能に構成された従来の団扇の一構成例を示す図である。
【符号の説明】
【００５２】
１    柄部
２    扇部
２ａ    基部
２ｂ    扇板部
３ａ    縁部材
３ｂ    放射骨部
３ｃ    横骨部
４    隙間
５    空間
６    音声出力ユニット
１０ａ，１０ｂ    表面シート
１１    音声ボタン
２０ａ，２０ｂ    支持シート
２１，２２，２３，２４ａ，２４ｂ    穴
３０    音声情報出力部
３１    ペーパー電池
３２    音声基板
３３    スイッチ
３４    ＩＣチップ
３５    スピーカ部
【図１】
2008022919.tif 000003
【図２】
2008022919.tif 000004
【図３】
2008022919.tif 000005
【図４】
2008022919.tif 000006
【図５】
2008022919.tif 000007
【図６】
2008022919.tif 000008
【図７】
2008022919.tif 000009
【図８】
2008022919.tif 000010